(57)【要約】【課題】  ディスアビリティの人を複写機が自動認識する事で、その構成や動作などを変えるなどできる限り操作しやすい、保守しやすい複写機を実現する。【解決手段】  １．その障害状況に応じて、操作時の時間設定（クリアタイム、ワーニングタイムなど）を変更したり、更に必要に応じて音声、アラーム音による警告をして、きめ細かく注意を促す。２．その登録情報に応じて、操作部の表示部である液晶の角度を見やすい角度に自動的に変化させ、更に表示部の文字サイズを自動的に倍角など大きくして、視覚的にも操作しやすいようにする。【選択図】  図１
2006084948.tif 000002
【特許請求の範囲】
【請求項１】
各種カードを読み取るカードリーダー、音声ガイダンスやアラームを発生させる音響装置、文字情報や画像情報を表示可能な表示部を備えた複写機・プリンターなど通信機能を含んだ複合情報端末装置において、
前記認識カードを装着すると、前記複合情報端末装置は操作または保守するオペレータを認識する手段を備え、
カードを装着された前記複合情報端末装置は、その登録情報に応じて、操作部のキー操作時の時間設定、つまりクリアタイム、ワーニングタイムなどを変更したり、音声・アラーム音などの音響装置により警告を促す手段、
また、カードを装着された前記複合情報端末装置は、その登録情報に応じて、操作部の表示部である液晶の角度を自動的に変化させる手段、更に表示部の文字サイズを自動的に倍角など大きくする手段、
を備えた事を特徴とする複合情報端末装置。
【請求項２】
請求項１において、前記認識カードは、ＩＣカード・磁気カードなどであり、操作者状況を詳細に記録・登録している事を特徴とする複合情報端末装置。
【請求項３】
請求項１において、前記認識カードは、所有者などによりその登録情報を簡単に自由に書き換え可能であることを特徴とする複合情報端末装置。
【発明の詳細な説明】
【技術分野】
【０００１】
本発明は、複合情報端末装置、詳細には、操作者の状況を認識して対応する複写機である。
【０００２】
基本対応は、車椅子利用者による簡単な保守作業にも対応する。
【背景技術】
【０００３】
従来の複写機は、車椅子利用者によるノーマル・オペレーションはもちろん、簡単な保守作業に対処したもの（例えば特許文献１参照）があるが、改善の余地があった。
【特許文献１】特開２００３−１４６５２３号公報（図１）
【発明の開示】
【発明が解決しようとする課題】
【０００４】
しかしながら、従来の複写機では、ノーマル・オペレーションである通常コピーはもちろん、簡単な保守作業である、ジャム処理、紙無し、トナー無し、針無し、パンチ一杯、廃トナー一杯、などを車椅子利用者の方がその処理を容易に実現する事は改善の余地があった。
【課題を解決するための手段】
【０００５】
しかし近年、ＵＳＡで施行されるリハビリテーション法５０８条、つまりディスアビリティ法など、製品開発において、その必要性など社会の機運が高まってきた。
【０００６】
そこで、車椅子利用者の方を複写機が自動認識する事で、その複写機の構成や動作などを変えるなどできる限り操作しやすい、保守しやすい複写機を実現する。
【０００７】
具体的には、
１．カードリーダーを備えた複写機に操作者がその人の認識カードを装着すると、複写機は操作または保守するオペレータを認識する。
【０００８】
２．その認識カードは、ＩＣカード、磁気カードなどであり、操作者状況を詳細に登録している。そして装着された複写機はその状況に応じて、操作時の時間設定（クリアタイム、ワーニングタイムなど）を変更したり、更に必要に応じて音声、アラーム音による警告をして、きめ細かく注意を促す。
【０００９】
３．同様にその登録情報に応じて、操作部の表示部である液晶の角度を見やすい角度に自動的に変化させる手段、更に表示部の文字サイズを自動的に倍角など大きくして、視覚的にも操作しやすいようにする。
【発明の効果】
【００１０】
以上説明したように、本発明によれば、
ディスアビリティの人がその人固有の情報が記録されたカードを持ち、そのカードを複写機などに装着することで、ノーマル・オペレーションである通常コピーはもちろん、簡単な保守作業である、ジャム処理、紙無し、トナー無し、針無し、パンチ一杯、廃トナー一杯、などを車椅子利用者や視覚弱者の方がその処理を容易に実現する事が可能となる。
【００１１】
１．その状況に応じて、操作時の時間設定（クリアタイム、ワーニングタイムなど）を変更したり、更に必要に応じて音声、アラーム音による警告をして、きめ細かく注意を促すので、操作中に途中まで設定した内容が消えることがない。
【００１２】
２．その状況に応じて、操作部の表示部である液晶の角度を見やすい角度に自動的に変化させ、更に表示部の文字サイズを自動的に倍角など大きくすることで、視覚的にも操作しやすいようになる。
【発明を実施するための最良の形態】
【００１３】
（第１の実施例）
図１は本発明の特徴を最もよく表す図画であり、同図において１は、操作者の状況、つまり、車椅子なのか、視覚弱者なのか等を詳細に記録したカード、２は、複写機に備えられた前記カードを読み取る装置（カードリーダー）、３は、前記カードの情報を受け取りＣＰＵに伝えるＩ／Ｆ部、４は、前記カードリーダーをはじめ、構成要素の制御部を制御するＣＰＵ、５は、外部装置を制御する制御部、６は、メッセージを音声やアラームにより知らせる音響装置でありスピーカ、７は、メッセージを表示により知らせる表示部、である。
【００１４】
次に、上記構成において、図２のフローチャートにより動作を順に説明する。
【００１５】
スタート
Ｓ１：まずカードが装着されたかどうか判断する。
【００１６】
Ｓ２：ここでカードが装着されると前記（２）のカードリーダーはカードを認識する。
【００１７】
Ｓ３：そしてそのカードのデーターを入力して、そのカードの持ち主（カード装着者）が健常者かどうかを判断する。
【００１８】
Ｓ４：ここで、カードの装着者が健常者以外で、ディスアビリティの人である時は、複写機などの装置の設定をデフォルトから変更する。
【００１９】
Ｓ５：まず方法としては、もしここでカードの装着者が車椅子などの人である時は、健常者に比較して姿勢が低い、つまり目線の位置が低い時と判断する。
【００２０】
Ｓ６：そこで、複写機の操作部の表示部である液晶の角度を変化させて、低い姿勢の車椅子の人にも見えやすい様に自動的に調整する。調整する角度などは前記カードにその人の固有データーとして予め登録されている。またその人がいつでも簡単に再設定できるものである。更に、操作部のキーを押して操作してから次のキーを押すまでの有効時間（クリアタイム）を健常者に比較して長くしたり、間違ったキー（無効キー）を押した時のワーニングタイムを長くしたり、無効にしたり、装置本体の設計値（デフォルト値）を変更する。
【００２１】
Ｓ７：また、前記カード情報からディスアビリティの人が、視覚弱者の時には、
Ｓ８：装置の操作部の表示部、液晶の文字サイズを自動的に倍角にして、見えやすい様にする。更に自動的に音声によるガイダンスをする。また同様に、操作部のキーを押して操作してから次のキーを押すまでの有効時間（クリアタイム）を健常者に比較して長くしたり、間違ったキー（無効キー）を押した時のワーニングタイムを長くしたり、無効にしたり、装置本体の設計を変更する。
【００２２】
Ｓ９：最後にカードから認識されたディスアビリティの人の状況が、先の車椅子や視覚弱者以外の時は、同様にその状況に応じたカードの情報により、装置の設定を変更させてどんな人でも操作しやすい装置を実現する。
【図面の簡単な説明】
【００２３】
【図１】本発明の実施例を示し、その特徴をもっとも良く表す図である。
【図２】本発明の動作実施例を示した、フローチャートである。
【図１】
2006084948.tif 000003
【図２】
2006084948.tif 000004